(57)【特許請求の範囲】
【請求項１】
ビデオデータ、オーディオデータ、および簡易編集情報がブロック単位で多重化されて記録されているとともに、編集点に位置する簡易編集情報のブロックは、編集装置により入力され、その位置から連続しない位置に記録され、かつ連続的に再生されるべきビデオデータおよびオーディオデータのブロックの開始位置に再生位置をジャンプさせるための編集データを有するディスク状記録媒体であって、
前記ディスク状記録媒体を再生する再生装置は、前記編集データに応じて再生位置をジャンプさせることにより、前記編集点において前記ビデオデータおよびオーディオデータを途切れることなく出力することができる
ことを特徴とするディスク状記録媒体。
【請求項２】
前記簡易編集情報のブロックは、ビデオデータおよびオーディオデータのブロック単位に割り当てられている
ことを特徴とする請求項１記載のディスク状記録媒体。
【発明の詳細な説明】
【０００１】
【発明の属する技術分野】
本発明は、例えば磁気ディスク、光磁気ディスクなどの情報記録媒体にビデオ信号、オーディオ信号などの記録情報を記録する場合に用いて好適なディスク状記録媒体に関する。
【０００２】
【従来の技術】
例えば、カメラ一体型ビデオテープレコーダで種々の素材を録画することが行われている。通常、これらの録画はアトランダムに行われる。即ち、例えばカメラ一体型ビデオテープレコーダを子供の運動会に持っていき、運動会の様子を撮影するような場合、撮影者は子供を中心として種々の画像を撮影する。そして、必ずしも操作に慣れていないために、録画動作を停止させたつもりが実際には停止されておらず、まるで意味のない画像が撮影されてしまうようなことがある。
【０００３】
【発明が解決しようとする課題】
従って、このように撮影したビデオテープは、これを編集すればよいのであるが、この編集にはビデオデッキが複数台必要となり、また、その操作が面倒であるため、この編集作業は一般的には行われないことが多い。
【０００４】
その結果、そのビデオテープを再生するとき必要のない画像も見なければならなくなり、興味が半減してしまうことがあった。
【０００５】
本発明はこのような状況に鑑みてなされたものであり、簡単に編集を行うことができるようにするものである。
【０００６】
【課題を解決するための手段】
本発明の記録媒体は、ビデオデータ、オーディオデータ、および簡易編集情報がブロック単位で多重化されて記録されているとともに、編集点に位置する簡易編集情報のブロックは、編集装置により入力され、その位置から連続しない位置に記録され、かつ連続的に再生されるべきビデオデータおよびオーディオデータのブロックの開始位置に再生位置をジャンプさせるための編集データを有するディスク状記録媒体であって、
ディスク状記録媒体を再生する再生装置は、編集データに応じて再生位置をジャンプさせることにより、編集点においてビデオデータおよびオーディオデータを途切れることなく出力することができることを特徴とする。
【０００７】
簡易編集情報のブロックは、ビデオデータおよびオーディオデータのブロック単位に割り当てられているようにすることができる。
本発明の記録媒体においては、ビデオデータ、オーディオデータ、および簡易編集情報がブロック単位で多重化されて記録されているとともに、編集点に位置する簡易編集情報のブロックは、編集装置により入力され、その位置から連続しない位置に記録され、かつ連続的に再生されるべきビデオデータおよびオーディオデータのブロックの開始位置に再生位置をジャンプさせるための編集データを有するものであって、編集データに応じて再生位置をジャンプさせることにより、編集点においてビデオデータおよびオーディオデータが途切れることなく出力される。
【０００８】
【発明の実施の形態】
図１は、本発明の情報記録媒体の一実施例の記録フォーマットを示している。この実施例においては、磁気ディスク、光磁気ディスクなどよりなるディスク１にビデオ信号とオーディオ信号がブロック毎に時分割多重で記録されるようになされている。ディスク１の最内周にはＴＯＣ情報が記録され、この実施例の場合、それに続いてトラック１乃至トラック４の４つの情報が記録されている。各トラックは、ビデオ信号（Ｖ）、左チャンネルのオーディオ信号（Ａ1)、右チャンネルのオーディオ信号（Ａ2）、および簡易編集情報がブロック毎に時分割多重されて記録されている。簡易編集情報は、ヘッダと、その編集の結果再生される再生信号の長さ（時間）と、編集データとにより構成されている。編集データは、ジャンプ命令、トラック終了命令、一時停止命令、フェードイン・フェードアウト命令、リピート命令、インサート命令、合成命令などにより構成される。
【０００９】
長さ情報は、例えば編集データにより図２に示すように、情報ＡとＢを再生した後、Ｂの終了位置からＥの開始位置までジャンプし、情報ＥとＦを再生し、Ｆの終了位置からＣの開始位置までジャンプし、情報ＣとＤを再生し、Ｄで再生を終了することが編集されている場合、この情報Ａ，Ｂ，Ｅ，Ｆ，Ｃ，Ｄを再生した場合の合計時間が記録されることになる。
【００１０】
図３は、本発明の情報記録媒体編集装置の一実施例の構成を示すブロック図である。ドライブ２はディスク１を駆動し、そこに必要なデータを記録し、また、そこに記録されているデータを再生する。多重化デコーダ３は、ドライブ２が出力する再生ビデオデータおよびオーディオデータを分離して、ビデオデータをビデオデコーダ５に、オーディオデータをオーディオデコーダ８に、それぞれ供給する。また、各トラックの簡易編集情報を読み取って、コントローラ１１に供給する。ビデオデコーダ５とオーディオデコーダ８は、それぞれバッファメモリ４と６，７を有しており、入力されたデータを一時的に記憶できるようになされている。入力部９は、コントローラ１１に対して所定の編集情報を入力するとき操作され、その入力された簡易編集情報は、コントローラ１１が内蔵するメモリ１０に記憶されるようになされている。
【００１１】
次に、図４のフローチャートを参照してその動作を説明する。ディスク１をドライブ２に装着すると、ドライブ２はディスク１のＴＯＣ情報を読み取り、その読取結果をコントローラ１１に供給する。このＴＯＣ情報には、ディスク１に記録されているビデオ信号、オーディオ信号等のアドレス（例えば、図１における各プログラム（トラック１乃至トラック４）の始点および終点などの位置）、再生時間等の情報が記録されている。コントローラ１１は、これにより所望の情報にアクセスすることが可能になる。
【００１２】
最初にステップＳ１において、使用者は素材画像を眺め、編集法を決定する。即ち、入力部９を操作してコントローラ１１に所望のトラックの再生を指令すると、コントローラ１１はドライブ２に入力部９より指令されたトラックの再生を指令する。ドライブ２は、ディスク１の指令されたトラックを再生し、その再生データを多重化デコーダ３に供給する。多重化デコーダ３は、入力されたデータをビデオデータとオーディオデータに分離する。ヒデオデータはビデオデコーダ５のバッファメモリ４に供給され、記憶され、ビデオデコーダ５によりデコードされる。そしてデコード出力が図示せぬＣＲＴなどに出力され、表示される。またオーディオデータは、それぞれ左右チャンネル用のバッファメモリ６と７に供給され、記憶される。オーディオデコーダ８は、このバッファメモリ６，７に記憶されたデータをデコードし、図示せぬスピーカなどに出力する。
【００１３】
使用者は、これらのビデオ画像とオーディオ出力を視聴しながら編集の構想を練ることになる。
【００１４】
次に、編集方法が決定したときステップＳ２に進み、コマ送りなどを使用しながら編集コマンドを入力する。例えば図２に示すように、Ａ，Ｂを再生した後、Ｂの終了点からＥの開始点までジャンプしてＥとＦを再生し、Ｆの終了点からＣの開始点までジャンプしてＣとＤを再生し、再生を終了するように編集するものとすると、Ｂの終了点にＥの開始点までのジャンプ命令を記録する。また、Ｆの終了点にＣの開始点までのジャンプ命令を記録する。さらにＤの終了点にトラック終了命令を記録する。このような命令は、入力部９を操作することによりコントローラ１１のメモリ１０に記憶させることができる。
【００１５】
ステップＳ３において、編集情報の入力が完了したか否か判定し、完了していない場合、ステップＳ２に戻り、編集コマンドの入力を繰返し実行する。ステップＳ３において編集コマンドの入力が完了したと判定された場合、ステップＳ４に進み、入力された命令に従ってリハーサル再生が実行される。即ち、このときコントローラ１１はメモリ１０に記憶された編集コマンドに対応してドライブ２を制御し、試験的な再生を実行させる。使用者は、このときの再生状態を見ながら編集状態をチェックする。ステップＳ５において、編集が完了したか否か判定し、完了していないと判定された場合、ステップＳ２に戻り、それ以降の処理を繰返し実行する。即ち、使用者はリハーサル再生を見ながら、編集状態が満足いくものであるか否かを判定し、満足いかない場合、編集操作を繰り返すことになる。
【００１６】
ステップＳ５において、編集が完了したと判定された場合、ステップＳ６に進み、ディスク１に編集情報を記録させる。即ち、コントローラ１１は入力部９より編集完了の指令が入力されたとき、メモリ１０に記憶されている編集命令をドライブ２に供給し、図１に示すフォーマットに従って所定の位置に記録させる。以上のようにして編集が完了する。
【００１７】
図１に示すように、編集情報はビデオデータ、オーディオデータのブロック単位に割り当てることができる。従って、細かい編集（ブロックを単位としてジャンプしたりすること）が可能である。特別の編集情報が割り当てられていないブロックにおいては、それを示す編集情報を記録しておくこともできるが、編集情報の記録を省略するようにしてもよい。
【００１８】
図５は、本発明の情報記録媒体再生装置の一実施例の構成を示すブロック図であり、図３における編集装置と対応する部分には同一の符号を付してある。この再生装置は図３に示した編集装置と基本的に同一の構成とされているが、記録機能は有しておらず、再生機能のみを有している。
【００１９】
次に、図６に示すフローチャートを参照して再生装置の動作を説明する。最初にステップＳ１１において、ドライブ２にディスク１が装着されたか否かを判定する。ディスクの装着が検出されたときステップＳ１２に進み、再生が指令されたか否か判定する。入力部９より再生の指令が入力されたと判定された場合、ステップＳ１３に進み、コントローラ１１はドライブ２に対して再生の開始を指令する。また、ステップＳ１４に進み、ビデオデコーダ５、オーディオデコーダ８に対してデコードの開始を指令する。このとき、ドライブ２はディスク１に記録されている情報を再生し、多重化デコーダ３に供給する。多重化デコーダ３は、入力されたデータからビデオデータとオーディオデータを分離し、それらをビデオデコーダ５のバッファメモリ４とオーディオデコーダ８のバッファメモリ６と７にそれぞれ供給する。ビデオデコーダ５はバッファメモリ４に記憶されたデータをデコードし、図示せぬＣＲＴなどに出力し、表示させる。また、オーディオデコーダ８は左右チャンネル用のバッファメモリ６，７に記憶されたオーディオデータを処理し、図示せぬ左右のスピーカに供給し、放音させる。
【００２０】
次に、ステップＳ１５に進み、編集情報の読み込み処理が行われる。即ち、多重化デコーダ３はドライブ２より供給される再生データから編集情報を読み取って、コントローラ１１に出力する。コントローラ１１は読み取った編集コマンドが例えばジャンプ命令であるのか、トラック終了命令であるのかをステップＳ１６とＳ１８で判定する（勿論、実際にはこれ以外の命令の判定も行う）。
【００２１】
ステップＳ１６において、編集コマンドがジャンプ命令であると判定された場合、ステップＳ１７に進み、コントローラ１１はドライブ２に対し、ジャンプ指令を供給する。即ち、例えば図２において、Ｂの終点においてジャンプ命令が検出されると、ドライブ２は再生位置をＢの終点からＥの始点までジャンプさせる。そして、Ｅから通常の再生が再開されることになる。同様にして、Ｆの終点においてジャンプ命令が検出されると、再生位置はＦの終点からＣの始点までジャンプされることになる。
【００２２】
ステップＳ１８において、トラック終了命令が検出されたと判定された場合、ステップＳ１９に進み、次に再生すべきトラック（プログラム）へのジャンプが指令される。即ち、例えば図２のＤの終点においてトラック終了命令が検出されると、コントローラ１１はドライブ２を制御し、再生位置を次のトラックにジャンプさせる。以下、ステップＳ１５に戻り、同様の処理が繰返し実行される。
【００２３】
尚、ジャンプ時においては再生が一時的に途切れることになるが、バッファメモリ４，６，７にデータが記憶されているため、このバッファメモリの容量をランダムアクセスの最長時間に対応して設定しておくことにより、再生画面や音声が途中で途切れるようなことが防止される。
【００２４】
また、以上においては、記録媒体としてディスクを用いるようにしたが、磁気テープ等を用いることも可能である。
【００２５】
【発明の効果】
以上の如く本発明のディスク状記録媒体によれば、不必要な記録情報が記録されていたとしても、所望の記録情報のみを細かく再生することが可能になる。
【図面の簡単な説明】
【図１】本発明の情報記録媒体の記録フォーマットを説明する図である。
【図２】編集の例を説明する図である。
【図３】本発明の情報記録媒体編集装置の一実施例の構成を示すブロック図である。
【図４】図３の実施例の動作を説明するフローチャートである。
【図５】本発明の情報記録媒体再生装置の一実施例の構成を示すブロック図である。
【図６】図５の実施例の動作を説明するフローチャートである。
【符号の説明】
１  ディスク，  ２  ドライブ，  ３  多重化デコーダ，  ４  バッファメモリ，  ５  ヒデオデコーダ，  ６，７  バッファメモリ，  ８  オーディオデコーダ，  ９  入力部，  １０  メモリ，  １１  コントローラ
【図１】
0003813416.tif 000002
【図２】
0003813416.tif 000003
【図３】
0003813416.tif 000004
【図４】
0003813416.tif 000005
【図５】
0003813416.tif 000006
【図６】
0003813416.tif 000007